(57)【要約】【課題】表示画像データの位相調整を確実に且つ正確に行う。【解決手段】ユーザーの指示に応じて、画像表示装置１内の装置４は自動位相調整の開始Ｖ１を両装置５，１０に指示する。装置５は、伝送路３を介して、指定画像の送出Ｖ２を画像データ発生装置２側に指示する。その結果、記憶装置７から、画像調整に最適な画像である指定画像データＶ４が読み出され、同データＶ４は装置８内でＤ／Ａ変換された上で同期信号Ｈｓｙｎｃ，Ｖｓｙｎｃと共に画像表示装置１内に送出される。装置９は、外部から入力する画像信号の表示の際に用いる量子化クロックに基づいて、指定画像データＶ４ＡのＡ／Ｄ変換を行い、且つ、変換後の同データを表示可能なデータＶ４Ｂに処理する。自動画像調整装置１０は、上記指定画像データＶ４Ｂに基づいて、表示画像の位相調整を自動的に実行する。【選択図】　　　　図１
2004126449.tif 000002
【特許請求の範囲】
【請求項１】
画像表示画面上に表示される表示画像データの位相調整に最適であると評価可能な１フレーム分の画像データを指定画像信号として記憶する画像記憶装置と、
前記表示画像データの位相調整時に、前記画像記憶装置から前記指定画像信号を読み出す指定画像信号送出制御装置と、
前記画像記憶装置から読み出される前記指定画像信号によって表示される指定画像に対して位相調整を実行する画像調整装置とを備えることを特徴とする、
画像調整システム。
【請求項２】
画像表示画面上に表示される表示画像データの位相調整に最適であると評価可能な１フレーム分の画像データを、予め記憶装置に指定画像信号として記憶しておき、
前記表示画像データの位相調整時に、前記記憶装置から前記指定画像信号を読み出した上で、前記指定画像信号に基づき前記表示画像データの前記位相調整を実行することを特徴とする、
画像調整方法。
【発明の詳細な説明】
【０００１】
【発明の属する技術分野】
この発明は、表示画像の位相を自動調整するための技術に関するものである。
【０００２】
【従来の技術】
図６は、外部の画像データ発生装置（図示せず）より入力された画像データを画像表示画面上に表示可能なデータ形式に処理する画像処理・表示装置（ｎｏ　ｐｒｉｏｒ　ａｒｔ）の構成を示すブロック図である。
【０００３】
外部の画像データ発生装置より供給されるデータの内で、少なくとも色信号を含む画像信号は、Ａ／Ｄ変換装置１５Ｐに入力される。又、水平同期信号は量子化クロック発生装置１７Ｐに入力され、同装置１７Ｐは水平同期信号より量子化クロック信号を生成した上で、量子化クロック信号をＡ／Ｄ変換装置１５Ｐに出力する。Ａ／Ｄ変換装置１５Ｐは、量子化クロック信号に基づき、入力した画像信号を量子化する。更に、画像信号処理装置１６Ｐは、Ａ／Ｄ変換装置１５Ｐが出力するデジタル画像信号に対してガンマ補正及び色補正等の各種の処理を施して、同画像信号を画面表示に適した形式の表示画像信号に変換した上で、当該表示画像信号を画像表示画面１９Ｐに出力する。
【０００４】
他方、量子化クロック発生装置１７Ｐは、水平同期信号に同期した量子化クロック信号をＡ／Ｄ変換装置１５Ｐ及び画像表示画面駆動装置１８Ｐに供給すると共に、水平同期信号を画像表示画面駆動装置１８Ｐに供給している。そして、画像表示画面駆動装置１８Ｐは、量子化クロック信号、水平同期信号及び垂直同期信号に基づいて、画像表示画面１９Ｐの駆動に必要な駆動信号を生成した上で、同駆動信号を画像表示画面１９Ｐに供給している。
【０００５】
その結果、画像表示画面１９Ｐは、駆動信号に基づいて、各種の処理を施された後の画像信号（表示画像信号）を、画面上に表示する。
【０００６】
又、画像調整装置１０Ｐは、ユーザーからの駆動指令を受けて、その時の処理済み画像信号（表示画像信号）を取り込み、当該画像信号に対して下記の何れかの位相調整方法を適用することにより、量子化クロック信号の位相補正量を決定し、当該補正量を指令する補正指令信号を量子化クロック発生装置１７Ｐに出力する。この補正指令信号を受けて、量子化クロック発生装置１７Ｐは量子化クロック信号の位相を補正し、これにより、表示画像の位相調整が完了する。
【０００７】
ここで、表示画像の位相を調整する方法としては、例えば、次の２つの方法が知られている。その第１は、あるフレームにおける所定の複数ラインに属する画像データと、当該フレームから所定のフレーム数だけ経過した後のフレームにおける所定の複数ラインに属する画像データとを比較し、両画像データの一致性を検出することにより、量子化クロック信号の位相を最適化する方法である（以下、第１画像調整方法と称す）。又、第２の方法としては、文字などのデータ部分における、量子化された画像データの内で、互いに隣接する画像データ同士の差分値が最大となる様に、量子化クロック信号の位相を最適化するものである（以下、第２画像調整方法と称す）。
【０００８】
【特許文献１】
特開平７−２１９４８５号公報
【０００９】
【発明が解決しようとする課題】
しかしながら、第１又は第２画像調整方法を用いた従来の画像調整システムにおいては、次の様な問題点がある。即ち、前者の方法を用いた画像調整においては、比較対象の所定ラインに属する画像データが変化の無い連続的なデータを含むときには、量子化クロック信号の位相を変化させても比較結果に変化が生じない場合があり、かかる場合には量子化クロック信号の位相を最適化することが出来ないと言う問題点がある。又、後者の方法を用いた画像調整においても、調整対象の表示画像データ内に連続的な変化の無いデータが含まれている場合には、隣接する画像データ同士の差分値を比較して見ても、同じく、量子化クロック信号の位相を最適化することが出来ないと言う問題点が発生し得る。しかも、表示画像が必ずしも文字データであるとは限らないため、偶々、画像表示画面に表示された画像データの中に文字データが含まれていないときには、後者の方法を適用して位相調整を行うことがそもそも出来ないと言う根本的な問題点が、後者の方法を用いた画像調整には内包されている。
【００１０】
本発明は、これらの問題点を解決するために成されたものであり、その目的は、上記第１あるいは第２画像調整方法に代表される様な既知の位相調整方法を適用する場合においても、表示画像の位相調整を確実且つ正確に実行可能とすることにある。
【００１１】
【課題を解決するための手段】
請求項１記載の発明は、画像調整システムであって、画像表示画面上に表示される表示画像データの位相調整に最適であると評価可能な１フレーム分の画像データを指定画像信号として記憶する画像記憶装置と、前記表示画像データの位相調整時に、前記画像記憶装置から前記指定画像信号を読み出す指定画像信号送出制御装置と、前記画像記憶装置から読み出される前記指定画像信号によって表示される指定画像に対して位相調整を実行する画像調整装置とを備えることを特徴とする。
【００１２】
請求項２記載の発明は、画像調整方法であって、画像表示画面上に表示される表示画像データの位相調整に最適であると評価可能な１フレーム分の画像データを、予め記憶装置に指定画像信号として記憶しておき、前記表示画像データの位相調整時に、前記記憶装置から前記指定画像信号を読み出した上で、前記指定画像信号に基づき前記表示画像データの前記位相調整を実行することを特徴とする。
【００１３】
【発明の実施の形態】
（着眼点及び概要）
従来の画像調整システムを批判的に分析すると、同システムにおいては、量子化クロック信号の位相調整の対象となる、画像表示画面に表示されるべき画面乃至は表示画像データとしては、特に指定された固定画面ではなくて、外部から本システム内に入力される画像信号に基づいて作成される、画像表示画面に現在表示されている画像データが、用いられている。この点が、既述した問題点をもたらしているものと、本願発明者は考える。そうであるならば、位相調整の対象となる表示画面を、位相調整のために最適化された固定画面に積極的に指定しまうならば、上記の問題点を何等発生させることなく、既述した第１又は第２画像調整方法を用いて安定した画像調整を実行出来る筈である。この点が、本願発明者の着眼点である。
【００１４】
本発明に係る画像調整方法は、表示画像の位相調整の対象となる表示画面として、外部から入力する画像信号によって与えられる画面を用いずに、予め設定した指定画面を常に固定的に乃至は強制的に用いる点に、その特徴点を有する。即ち、本画像調整方法では、画像表示画面上に表示される表示画像データの位相調整に最適であると評価可能な１フレーム分の画像データを、指定画像信号として、予め画像データ発生装置内の記憶装置に記憶しておき、自動画像調整時に、記憶装置から指定画像信号を読み出した上で、指定画像信号に基づき表示画像データの位相調整を実行する。その際の位相調整方法としては、第１又は第２画像調整方法に代表される従来の方法が適用される。以下、図面を参照しつつ、本発明の特徴点を詳述する。
【００１５】
（実施の形態１）
図１は、本実施の形態に係る自動画像調整システムの構成の一例を示すブロック図である。本システムは、例えばパーソナルコンピュータに適用される。図１に示す様に、同システムは、大別して、画像表示装置１、通常画面及び指定画面（固定画面とも称す）並びに水平及び垂直の同期信号から成る画像データを発生・送出する画像データ発生装置２、及び、両装置１，２間のデータ伝送を担う伝送路３より構成される。ここで、各部１，２の詳細は次の通りである。
【００１６】
先ず、画像表示装置１は、（１−１）自動調整指示信号発生装置４、（１−２）指定画像送出指示信号発生装置５、（１−３）画像データ入力処理装置９、及び、（１−４）自動画像調整装置１０より成る。この内、（１−１）自動調整指示信号発生装置４は、ユーザーからの自動画像調整機能開始指令に応じて、自動画像調整動作の開始を指示する自動調整指示信号Ｖ１を発生・出力する。ここで、同装置４は、例えば、ユーザーによって指令入力操作可能な入力装置（図示せず）に直接接続されていることにより、あるいは、ユーザーによって入力操作可能な押しボタン（図示せず）を備えるモニタ等の画面表示装置から上記押しボタンのＯＮ信号を間接的に受信することによって、上記自動画像調整機能開始指令を受信し得る。又、（１−２）指定画像送出指示信号発生装置５は、上記信号Ｖ１の受信に応じて、自動画像調整時に画像調整（量子化クロック信号の位相調整）に適した表示画像データ（指定画面を与える画像信号）を本装置１側に送出する様に画像データ発生装置２側に指示する指定画像送出指示信号Ｖ２を発生・出力する。又、（１−３）画像データ入力処理装置９は、自動画像調整時に、後述する画像データ送出装置８より伝送路３を介して送出される、アナログ指定画像データ（指定画像信号）Ｖ４Ａ及び水平及び垂直の同期信号Ｈｓｙｎｃ，Ｖｓｙｎｃを受信して、受信した指定画像信号Ｖ４Ａを、同期信号Ｈｓｙｎｃ，Ｖｓｙｎｃに基づいて、後述する画像表示画面（ディスプレイモニタ等）上に表示可能な形式の表示画像データＶ４Ｂに処理・出力する。又、（１−４）自動画像調整装置１０は、受信した指定画像の表示画像データＶ４Ｂに基づいて、表示画像データの位相（従って、量子化クロック信号の位相）を最適な状態に調整するための位相補正信号Ｖ５を自動的に生成・出力する。尚、同装置１０で採用されている画像調整方法は既知のものであり、例えば、既述した第１あるいは第２画像（位相）調整方法が適用される。ここで、同装置１０が第１画像（位相）調整方法を用いて画像調整（位相調整）を行う場合には、同装置１０と指定画像送出指示信号発生装置５との間で、後述する信号Ｖ５１０、Ｖ１０５の送受信が行われる。尚、（１−３）画像データ入力処理装置９は、自動画像調整を行わない通常モードのときには、画像データ発生装置２から伝送路３を介して送信されて来る通常画像のアナログ画像信号Ｖ２０Ａを受信し、同信号Ｖ２０Ａと同時に画像データ発生装置２から送信されて来る水平同期信号Ｈｓｙｎｃより生成した量子化クロック信号に応じて、受信した通常画像信号Ｖ２０Ａに対して所定の複数の信号処理を施した上で、処理後の通常画像信号を画像表示画面上に表示する。
【００１７】
他方、画像データ発生装置２は、（２−１）指定画像送出指示信号発生装置５からの信号Ｖ２の受信に応じて、指定画面（１フレーム分）の画像データ（画像信号）を読み出すための読出し指令信号Ｖ３を生成・出力する指定画像送出指示信号受信装置（指定画像信号送出制御装置に該当）６、（２−２）上記画像調整に最適と評価される信号レベルを有する画面（指定画面）の画像データ（画像信号）を指定画像信号として予め記憶している指定画像記憶装置（単に画像記憶装置とも称す）７、（２−３）自動画像調整に関与しない通常画面の画像データを格納する通常画像記憶装置２０、及び、（２−４）水平及び垂直の同期信号Ｈｓｙｎｃ，Ｖｓｙｎｃを生成すると共に、（ｉ）自動画像調整時には、読出し指令信号（アドレス信号）Ｖ３に応じて指定画像記憶装置７より読み出される指定画像信号Ｖ４を、上記水平同期信号Ｈｓｙｎｃに基づいて、内蔵するＤ／Ａ変換装置８Ａによって一旦アナログ形式の指定画像データＶ４Ａに変換した上で同データＶ４Ａを上記同期信号Ｈｓｙｎｃ，Ｖｓｙｎｃと共に画像表示装置１側に送出する一方、（ｉｉ）非自動画像調整時には、通常画像記憶装置２０より読み出される通常画像信号Ｖ２０を、上記水平同期信号Ｈｓｙｎｃに基づいて、Ｄ／Ａ変換装置８Ａによって一旦アナログ形式の通常画像データＶ２０Ａに変換した上で同データＶ２０Ａを上記同期信号Ｈｓｙｎｃ，Ｖｓｙｎｃと共に画像表示装置１側に送出する指定画像データ送出装置８より成る。
【００１８】
ここで、図２は、図１の画像データ入力処理装置９の構成例を示すブロック図である。図２において、画像データ発生装置２の画像データ送出装置８より供給される、少なくとも色信号（例えば色信号のみ、あるいは、色信号及び輝度信号）を含む画像信号（指定画像データＶ４Ａ又は通常画像データＶ２０Ａ）は、Ａ／Ｄ変換装置１５に入力される。又、水平同期信号Ｈｓｙｎｃは量子化クロック発生装置１７に入力され、同装置１７は水平同期信号Ｈｓｙｎｃより量子化クロック信号Ｖ１７を生成した上で、量子化クロック信号Ｖ１７をＡ／Ｄ変換装置１５に出力する。Ａ／Ｄ変換装置１５は、量子化クロック信号Ｖ１７に同期して、入力した画像信号を量子化し、量子化されたデジタル画像信号を出力する。画像信号処理装置１６は、Ａ／Ｄ変換装置１５が出力するデジタル画像信号に対してガンマ補正及び色補正等の各種の信号処理を施して、同画像信号を画面表示に適した形式の表示画像信号に変換した上で、当該表示画像信号（指定画像データＶ４Ａの表示画像信号Ｖ４Ｂ又は通常画像データＶ２０Ａの表示画像信号Ｖ２０Ｂ）を画像表示画面１９に出力する。しかも、画像信号処理装置１６は、上記自動調整指示信号Ｖ１の指令を受信している場合には、即ち、自動画像調整時においては、指定画像データＶ４Ａの表示画像信号Ｖ４Ｂを図１の自動画像調整装置１０に出力する。
【００１９】
又、量子化クロック発生装置１７は、水平同期信号Ｈｓｙｎｃに同期した量子化クロック信号Ｖ１７をＡ／Ｄ変換装置１５、及び画像表示画面駆動装置１８に供給すると共に、水平同期信号Ｈｓｙｎｃを画像表示画面駆動装置１８に供給している。そして、画像表示画面駆動装置１８は、量子化クロック信号Ｖ１７、水平同期信号Ｈｓｙｎｃ及び同じく図１の画像データ送出装置８から入力する垂直同期信号Ｖｓｙｎｃに基づいて、画像表示画面１９の駆動に必要な駆動信号を生成した上で、同駆動信号を画像表示画面１９に供給している。
【００２０】
その結果、画像表示画面１９は、ユーザーが既述した自動画像調整機能開始指令を本システム内に入力しない場合においては、上記駆動信号に基づいて、各種の処理を施された後の通常画像信号（表示画像信号）Ｖ２０Ｂを、表示面上に表示する。
【００２１】
これに対して、ユーザーが既述した自動画像調整機能開始指令を本システム内に入力した場合においては、画像表示画面１９は、通常画像信号の表示に代えて、表示可能なデータ形式を備えた指定画像データＶ４Ｂ及び指定画像データ用の駆動信号Ｖ１８Ａを受信して、駆動信号Ｖ１８Ａに基づいて指定画像データＶ４Ｂをその表示面上に表示する。そして、表示後に、量子化クロック発生装置１７は、図１の自動画像調整装置１０から送信されて来る位相補正信号Ｖ５に応じて、その量子化クロック信号Ｖ１７の位相を最適なレベルに補正する。
【００２２】
次に、本システムにおける画像調整の動作について、図１及び図２を参照しつつ記載する。
【００２３】
画像表示装置１は、画像表示画面１９に表示される表示画像の位相調整を自動的に行う自動画像調整装置１０を備えており、同装置１０を起動させるために、ユーザーは、任意の時に、既述した例示方法を利用して自動調整指示信号発生装置４に対して上記自動画像調整機能開始指令を入力する。あるいは、ユーザーは、任意の時に、画像表示装置１の電源をオン状態にすることによって、自動調整指示信号発生装置４を同時に立ち上げる。これにより、自動調整指示信号発生装置４は、自動調整指示信号Ｖ１を、指定画像送出指示信号発生装置５、自動画像調整装置１０及び画像信号処理装置１６に送出する。従来の画像調整システムにおいては、自動画像調整装置（例えば図６の装置１０Ｐ）は、画面上に表示されている画像内容に拘わらずに所定の位相調整方法を実行するので、例えば、表示されている画面が信号レベルに変化の無い連続的な画像を含むものである場合には、表示画像の位相調整のために量子化クロック信号を変化させても、自動画像調整装置は最適値を検出することが出来ず、その結果、調整具合が不十分となってしまう。
【００２４】
しかしながら、本システムにおいては、自動画像調整装置１０の起動と同時に、指定画像送出指示信号発生装置５は、「画像データ発生装置２より位相調整に最適な画面の画像データを送出する様に指示する」指定画像送出指示信号Ｖ２を、指定画像送出指示信号受信装置６に送信し、同信号Ｖ２に応じて、指定画像送出指示信号受信装置６は、予め画像調整（量子化クロック信号の位相調整）に最適な画面の画像データ（指定画像データ）を記憶している指定画像記憶装置７に対して、同指定画像データＶ４の読出し指令信号Ｖ３を出力する。この読出し指令信号Ｖ３に応じて、指定画像記憶装置７は、指定画像データＶ４を読出し、画像データ送出装置８に送出する。画像データ送出装置８は、指定画像データＶ４を、一旦アナログ形式の指定画像データＶ４Ａに変換した上で、この画像調整に最適な指定画面の画像データＶ４Ａを、伝送路３を介して、同期信号Ｈｓｙｎｃ，Ｖｓｙｎｃと共に、画像データ入力装置９に送出する。
【００２５】
画像データ入力処理装置９は、補正前の量子化クロック信号Ｖ１７に同期させて、指定画像信号Ｖ４ＡのＡ／Ｄ変換を行い、変換後の指定画像信号に対して各種の信号処理を施すことで、画像表示画面１９に表示可能なデータ形式を備えた指定画像信号Ｖ４Ｂを生成し、同信号Ｖ４Ｂを自動画像調整装置１０に出力する。他方で、同装置９は、補正前の量子化クロック信号Ｖ１７、水平同期信号Ｈｓｙｎｃ及び垂直同期信号Ｖｓｙｎｃに基づき、指定画像信号Ｖ４Ｂを画像表示画面１９に表示させるための駆動信号Ｖ１８Ａを生成し、両信号Ｖ４Ｂ及びＶ１８Ａに基づき、指定画面を画像表示画面１９上に表示する。
【００２６】
自動画像調整装置１０は、常に、受信した固定の指定画像データＶ４Ｂに対して、所定の既知の画像調整方法を適用することで、最終的に量子化クロック信号Ｖ１７の適切な補正量を決定し、その結果を補正信号Ｖ５として量子化クロック発生装置１７に出力する。この補正信号Ｖ５を受けて、同装置１７は、量子化クロック信号Ｖ１７の位相を、指定通りの適切値に修正する。これにより、自動画像調整動作は終了する。
【００２７】
今、自動画像調整装置１０は、指定画面に対して既述の第１画像調整方法を用いて補正信号Ｖ５を生成するものとする。この場合には、指定画像送出指示信号発生装置５は、その内部の記憶部に、「最初に受信した指定画面から数えてｋ（ｋは自然数）番目後のフレームに該当する指定画面の画像データを、装置１０は比較値として取得するべきである」と言う情報・命令を保有している。自動画像調整装置１０は、最初に受信した指定画面のデータＶ４Ｂの内から、所定の複数ラインのデータを取得して保有し、当該処理が終了した旨を与える第１指令信号Ｖ１０５を指定画像送出指示信号発生装置５に送信する。この信号Ｖ１０５を受けて、同装置５は、上記保有情報（命令）を与える第２指令信号Ｖ５１０を自動画像調整装置１０に出力する。その結果、同装置１０は、信号Ｖ５１０によって指定されるｋ番目後の１フレームデータに当る指定画像データＶ４Ｂの中から、再度、所定の複数ラインのデータを取得して保有し、既に保有している第１データと今回取得した第２データとの比較処理を行って、量子化クロック信号Ｖ１７の位相の最適値を検出する。この場合、指定画像データＶ４Ｂは、変化の無い連続的なデータではなくて、比較処理可能な最適なデータとして固定されたものであるので、自動画像調整装置１０は、確実に且つ正確に、画像調整を行える。
【００２８】
尚、ｋ番目後の１フレームデータに当る指定画像データＶ４Ｂの取得方法としては、（ｉ）指定画像送出指示信号受信装置６が１フレーム分の指定画面データＶ４を指定画像記憶装置７からｋ回分だけ順次に読み出して画像データ入力処理装置９に送信し、それらのデータＶ４Ａの内から、自動画像調整装置１０が画像データ入力処理装置９よりｋ番目の１フレーム分の指定画面データＶ４Ｂを取得することとしても良い。あるいは、（ｉｉ）画像データ入力処理装置９が最初に受信する１フレーム分の指定画面データＶ４Ａをその内部の記憶部（図示せず）に保有しておき、指定画面データＶ４Ａの最初の受信時から数えてｋ番目の指定画面データＶ４Ａの受信時に相当する時刻において、上記記憶部に保有している最初に受信した１フレーム分の指定画面データＶ４Ａを読み出した上で当該データＶ４Ａに対して既述した処理を施して得られるデータＶ４Ｂを、上記第２データ取得用の指定画面データとして自動画像調整装置１０に出力することとしても良い。
【００２９】
ここで、自動画像調整装置１０の画像調整方法として第１画像調整方法が用いられる場合における、画像調整に最適な指定画像の一例を、図３に示す。図３における１画素は、赤（Ｒ）、緑（Ｇ）、及び青（Ｂ）の各画素要素で構成されており、図３の指定画像は、一定の幅を有する縦線で示される１画素分の領域を画面全面に渡って一列に配列することにより、形成される。しかも、図３の指定画像は、信号レベルが（Ｒ，Ｇ，Ｂ）＝（２５５，２５５，２５５）で表される白画像、及び、信号レベルが（Ｒ，Ｇ，Ｂ，）＝（０，０，０）で表される黒画像を１画素毎に交互に配列することにより、形成されている。この様な規則的に変化する信号レベル分布を有する指定画像を、自動画像調整機能開始指令の入力後に画像表示画面１９上に強制的に表示させた状態で、自動画像調整装置１０を既述の通りに動作させると、表示画面上の任意のポイントで、確実に比較値を取得することが出来、その結果、補正すべき量子化クロック信号の位相の最適値を確実に検出することが出来ることとなり、画像調整を常に安定して確実に実行することが可能となる。
【００３０】
又、指定画像記憶装置７に格納されている指定画像が、文字データから成る画像であって、且つ、変化の無い連続的なデータから構成されるものでは無い場合には、自動画像調整装置１０は、既述した第２画像調整方法を指定画像データＶ４Ｂに対して安定的に適用することが出来る。この場合には、既述した指令信号Ｖ１０５、Ｖ５１０の送受信は不要であり、自動画像調整装置１０は、画像調整開始後、最初に受信した、量子化された文字データから成る指定画像データＶ４Ｂから、隣接するデータの差分値を決定する等の既知の処理を実行することにより、量子化クロック信号Ｖ１７の位相の最適化を即座に且つ正確に行うことが出来る。
【００３１】
（変形例）
図４は、実施の形態１の変形例に係る自動画像調整システムの構成の一例を示すブロック図である。図４のシステムが図１のシステムと相違する点は、図１の両記憶装置７及び２０に代えて、一つの画像記憶装置７を設けた点にあり、その他の構成は図１のシステムと変わることはない。
【００３２】
図４の画像記憶装置７は、指定画像データＶ４Ｂを格納する指定画像記憶領域７Ａ（第１画像記憶領域）と、通常画面のデータＶ２０を格納する通常画像記憶領域７Ｂ（第２画像記憶領域）とを有する。そして、指定画像送出指示信号受信装置６が出力するアドレス信号Ｖ３の指令に応じて、画像記憶装置７は、指定画像記憶領域７Ａから指定画像データＶ４Ｂを読出し、同データＶ４Ｂを画像データ送出装置８に送信する。
【００３３】
本変形例によれば、画像データ発生装置２内に設ける通常画像と指定画像との記憶部を一つの画像記憶装置７で以って構築出来ると言う利点がある。
【００３４】
（実施の形態２）
図５は、本実施の形態に係る自動画像調整システムの構成の一例を示すブロック図である。本システムが実施の形態１のシステムと相違する点は、画像データ発生装置側において、ユーザーの指定に応じて、自動画像調整開始を指示すると共に、指定画像データの読出しを行う点にある。
【００３５】
図５において、ユーザーは、任意の時に、画像データ発生装置１２に対して、自動画像調整開始指令を指示することが出来る。画像データ発生装置１２内に設けられた自動調整指示信号発生装置（指定画像信号送出制御装置に該当）１３は、ユーザーからの自動調整開始指令に応じて（当該指令の同装置１３への入力は実施の形態１で既述した方法と同じ）、自動調整指示信号Ｖ１Ａを生成し、同信号Ｖ１Ａを指定画像記憶装置７に送信して同装置７に対する指定画像データＶ４の読出し制御を行う。そして、画像データ送出装置８は、Ｄ／Ａ変換された指定画像信号Ｖ４Ａを、同期信号Ｈｓｙｎｃ，Ｖｓｙｎｃと共に、伝送路３を介して、自動調整指示信号受信装置１４に送信する。この信号Ｖ１Ａを受けて、同装置１４は、起動信号Ｖ１Ｂを自動画像調整装置１０Ａ及び画像データ入力処理装置９に送信し、同装置１０Ａは画像調整動作を開始し出す。図５においても、各部７、８、９、１０Ａの構成及び動作・機能は、図１における対応部分７、８、９、１０のそれらと同一である。
【００３６】
本実施の形態においても、自動画像調整装置１０Ａは、画像データ入力処理装置９が画像調整に最適な指定画像を表示しているときに、当該指定画像データＶ４Ｂに対して位相調整動作を実行するので、調整具合が不十分になることはなく、画像調整が確実に行われる。
【００３７】
尚、既述した第１画像調整方法が採用される場合には、両装置１０Ａ、１３間において、図１の指令信号Ｖ１０５、Ｖ５１０にそれぞれ対応した指令信号Ｖ１０１３、Ｖ１３１０が、送受信される。
【００３８】
又、図４に例示した変形例を本実施の形態に適用しても良い。
【００３９】
（付記）
１　本実施の形態１，２及び変形例においては、Ｒ（赤），Ｇ（緑），Ｂ（青）各色の色信号を含む画像信号Ｖ４（Ｖ２０）と、両同期信号Ｈｓｙｎｃ，Ｖｓｙｎｃとから成るデータ信号を、広義の意味で、「画像データ」と総称するものとし、この「画像データ」を基にして、モニターの「自動位相調整」を行うことを目的としている。
２　以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【００４０】
【発明の効果】
請求項１又は２により特定される発明によれば、表示画像の調整具合が不十分であると言う事態を回避することが出来、画像信号によって与えられる表示画面の態様如何に拘わらず、常に安定して確実に表示画像の調整を行うことが出来る。
【図面の簡単な説明】
【図１】この発明の実施の形態１に係る自動画像調整システムの構成を示すブロック図である。
【図２】画像データ入力処理装置の構成を示すブロック図である。
【図３】指定画像の好ましい一例を模式的に示す図である。
【図４】実施の形態１の変形例に係る自動画像調整システムの構成を示すブロック図である。
【図５】この発明の実施の形態２に係る自動画像調整システムの構成を示すブロック図である。
【図６】従来の画像処理・表示装置の構成を示すブロック図である。
【符号の説明】
１　画像表示装置、２　画像データ発生装置、３　伝送路、４　自動調整指示信号発生装置、５　指定画像送出指示信号発生装置、６　指定画像送出指示信号受信装置、７　指定画像記憶装置、８　画像データ送出装置、９　画像データ入力処理装置、１０　画像表示画面、１１　画像表示装置、１２　画像データ発生装置、１３　自動調整指示信号発生装置、１４　自動調整指示信号受信装置、１５　Ａ／Ｄ変換装置、１６　画像信号処理装置、１７　量子化クロック発生装置、１８　画像表示画面駆動装置、１９　画像表示画面。
【図１】
2004126449.tif 000003
【図２】
2004126449.tif 000004
【図３】
2004126449.tif 000005
【図４】
2004126449.tif 000006
【図５】
2004126449.tif 000007
【図６】
2004126449.tif 000008